(57)【要約】【課題】  鋳物門扉の吊元側にアルミ押出形材の装飾を施すことによって，鋳物門扉のデザインを斬新なものとする。【解決手段】  鋳物門扉Ａの吊元側に囲繞枠１０によって区画し且つその縦枠部に対向するリブ１２を突設した囲繞開口１１を配置し，この囲繞開口１１に前後に割型に押出成形した割型装飾面体を配置し，その幅方向両端のリブ挟持突片２３で上記対向するリブ１２を前後で挟持するとともに幅方向一端側で矢尻状突片２６によるスナップイン係止を行い，幅方向他端側でコ字状枠３０をボルト３２によって鋳物門扉Ａの吊元側側面に引張移動し，該コ字状枠３０によって傾斜突片２７を被嵌することによって前後一対の割型装飾面体２１を囲繞開口１１に一体的に装着する。【選択図】        図３
2006045935.tif 000002
【特許請求の範囲】
【請求項１】
一体に鋳造成形しその面内の囲繞開口内にアルミ押出形材製の装飾面体を装着した鋳物部材であって，上記アルミ押出形材の装着面体を前後一対の割型に成形し，該前後一対の割型装飾面体の幅方向両端に配置したリブ挟持突片によって上記外構部材囲繞開口内両側に対向配置したリブを挟持し，幅方向一端の該挟持位置近傍において該前後一対の割型装飾面体を相互にスナップイン係止する一方，幅方向他端の挟持位置近傍において該前後一対の割型装飾面体の裏面にそれぞれ内方に向けて傾斜突出して対向配置した傾斜突片に対して割型装飾面体間に配置したコ字状枠を外構部材外周側からの複数のボルトにより引張被嵌して該割型装飾面体をその中心側に引寄せ係止することによって，上記前後一対の割型装飾面体を囲繞開口に装着してなることを特徴とする門扉，フェンス等の外構用鋳物部材。
【請求項２】
上記前後一対の割型装飾面体相互のスナップイン係止を，該割型装飾面体裏面にそれぞれ対向方向に向けて突設した矢尻状突片による非リブ側における弾発的係止によって行なってなることを特長とする請求項１に記載の門扉，フェンス等の外構用鋳物部材。
【請求項３】
上記幅方向一端におけるリブ挟持を，各リブ挟持突片とリブ間にクッション材を介設して行なってなることを特徴とする請求項１又は２に記載の門扉，フェンス等の外構用鋳物部材。
【請求項４】
上記幅方向他端の各リブ挟持突片に該リブ挟持突片をＬ字状とする直交突片を突設し，該各リブ挟持突片による上記リブの挟持をリブ交差面に対してＬ字状に行なってなることを特徴とする請求項１，２又は３に記載の門扉，フェンス等の外構用鋳物部材。
【発明の詳細な説明】
【技術分野】
【０００１】
本発明は，アルミ押出形材の装飾面体を装着して形成した門扉，フェンス等の外構用鋳物部材に関する。
【背景技術】
【０００２】
例えばアルミ押出形材製の門扉，フェンス等が直線を基調としたデザインとされる一方，例えばアルミをＶプロセス法で一体に鋳造成形した門扉，フェンス等は，曲線，直線の組み合わせ等によって比較的自由なデザインにして精密な成形をなし得るから，形材門扉，形材フェンス等とは別の所謂アルミ鋳物門扉，アルミ鋳物フェンス等の商品群を形成し，多種多様なデザインの外構用鋳物部材として従来から市販されている。
【０００３】
【非特許文献１】東洋エクステリア株式会社発行                                              「２００４エクステリア総合カタログ」３２８頁〜４９１頁
【発明の開示】
【発明が解決しようとする課題】
【０００４】
外構用鋳物部材のデザインもパターン化され，見慣れたデザインとなる傾向があり，その更なるデザインの多様化がその一層の需要喚起に必要であり，例えばアルミ鋳物の門扉，フェンス等に，異質の材料であるアルミ押出形材による装飾面体を部分的に装着して，その装飾を施すことはデザインの多様化を図る上で有効であり，また一般にこの種外構用鋳物部材のメーカーがアルミ押出形材の製品を同時に製造していることからも採用が比較的容易になし得ることになる。
【０００５】
外構用鋳物部材は，上記のように一体に鋳造成形されるから，そのために，例えば鋳物部材の面内に囲繞開口を設置することによってこれにアルミ押出形材製の装飾面体を，例えばブラケットを介して固定する等の装着措置が想定し得るが，この場合ブラケットやその固定のためのネジ等が，装飾面体装着の前後面に露出する結果，外観が損なわれるという問題点を回避し難く，結局これがデザイン多様化のために解決すべき課題となる。
【０００６】
本発明は，このような事情に鑑みてなされたもので，その解決課題とするところは，一体に鋳造成形された鋳物部材の面内に配置した囲繞開口に，鋳物とは異なるデザイン要素のアルミ押出形材製の装飾面体を，外観を損なうことなく簡易且つ確実に装着し得るようにすることによって，デザインの多様化に資することが可能な門扉，フェンス等の外構用鋳物部材を提供するにある。
【課題を解決するための手段】
【０００７】
上記課題に添って本発明は，鋳物部材面内の囲繞開口に装着するアルミ押出形材の装飾面体を，前後一対の割型装飾面体としとして成形し，囲繞開口に対向配置したリブを該割型装飾面体の幅方向両端に配置したリブ挟持突片で挟持し，その一方のリブ側において割型装飾面体同士をスナップイン係止する一方，その他方のリブ側において鋳物部材の外周側からのボルトの引張りでコ字状枠を外周側に引寄せ移動し，該コ字状枠により各割型装飾面体に対向配置した傾斜突片を引張被嵌して該割型装飾面体を中心側に引寄せ係止することによって，これら前後に一対の割型装飾面体を一体化に鋳物部材に装着するようにしたものであって，即ち請求項１に記載の発明を，一体に鋳造成形しその面内の囲繞開口内にアルミ押出形材製の装飾面体を装着した鋳物部材であって，上記アルミ押出形材の装着面体を前後一対の割型に成形し，該前後一対の割型装飾面体の幅方向両端に配置したリブ挟持突片によって上記外構部材囲繞開口内両側に対向配置したリブを挟持し，幅方向一端の該挟持位置近傍において該前後一対の割型装飾面体を相互にスナップイン係止する一方，幅方向他端の挟持位置近傍において該前後一対の割型装飾面体の裏面にそれぞれ内方に向けて傾斜突出して対向配置した傾斜突片に対して割型装飾面体間に配置したコ字状枠を外構部材外周側からの複数のボルトにより引張被嵌して該割型装飾面体をその中心側に引寄せ係止することによって，上記前後一対の割型装飾面体を囲繞開口に装着してなることを特徴とする門扉，フェンス等の外構用鋳物部材としたものである。
【０００８】
請求項２に記載の発明は，上記に加えて，スナップイン係止を可及的容易且つ確実になし得るものとするように，これを，上記前後一対の割型装飾面体相互のスナップイン係止を，該割型装飾面体裏面にそれぞれ対向方向に向けて突設した矢尻状突片による非リブ側における弾発的係止によって行なってなることを特長とする請求項１に記載の門扉，フェンス等の外構用鋳物部材としたものである。
【０００９】
請求項３に記載の発明は，同じく上記に加えて，アルミ押出形材等に僅かながらも許容される寸法誤差によってスナップイン係止に遊びが生じて，上記割型装飾面体のリブ挟持突片が揺動し，風圧等の外力を受けて鋳物部材のリブとリブ挟持突片との間で金属音を発生する可能性を解消し得るように，これを，上記幅方向一端におけるリブ挟持を，各リブ挟持突片とリブ間にクッション材を介設して行なってなることを特徴とする請求項１又は２に記載の門扉，フェンス等の外構用鋳物部材としたものである。
【００１０】
請求項４に記載の発明は，同じく上記に加えて，上記鋳物部材の囲繞開口に対する前後一対の割型装飾面体の一体化を安定して更に確実になし得るものとするように，これを，上記幅方向他端の各リブ挟持突片に該リブ挟持突片をＬ字状とする直交突片を突設し，該各リブ挟持突片による上記リブの挟持をリブ交差面に対してＬ字状に行なってなることを特徴とする請求項１，２又は３に記載の門扉，フェンス等の外構用鋳物部材としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，一体に鋳造成形された鋳物部材の面内に配置した囲繞開口に，鋳物とは異なるデザイン要素のアルミ押出形材製の装飾面体を，外観を損なうことなく簡易且つ確実に装着し，デザインの多様化に資することが可能な門扉，フェンス等の外構用鋳物部材を提供することができる。
【００１３】
請求項２に記載の発明は，上記に加えて，スナップイン係止を可及的容易且つ確実になし得るものとすることができる。
【００１４】
請求項３に記載の発明は，同じく上記に加えて，アルミ押出形材等に僅かながらも許容される寸法誤差によってスナップイン係止に遊びが生じて，上記割型装飾面体のリブ挟持突片が揺動し，風圧等の外力を受けて鋳物部材のリブとリブ挟持突片との間で金属音を発生する可能性を解消することができる。
【００１５】
請求項４に記載の発明は，同じく上記に加えて，上記鋳物部材の囲繞開口に対する前後一対の割型装飾部材の一体化を安定して更に確実になし得るものとすることができる。
【発明を実施するための最良の形態】
【００１６】
以下図面の例に従って本発明を更に具体的に説明すれば，Ａは，例えば鋳物門扉とした一体の鋳造成形した外構用鋳物部材であり，該外構用鋳物部材Ａは，その面内の囲繞開口１１内にアルミ押出形材製の装飾面体２０を装着し，鋳物とアルミ押出形材の異種材料の組合せによってそのデザインを斬新なものとして，そのデザイン多様化に資するようにしてある。
【００１７】
このとき上記アルミ製の鋳物門扉Ａに対する装飾面体２０の装着は，該アルミ押出形材の装着面体２０を前後一対の割型に成形し，該前後一対の割型装飾面体２１の幅方向両端に配置したリブ挟持突片２３によって上記外構部材，本例にあっては鋳物門扉Ａ囲繞開口１１内両側に対向配置したリブ１２を挟持し，幅方向一端の該挟持位置近傍において該前後一対の割型装飾面体２１を相互にスナップイン係止する一方，幅方向他端の挟持位置近傍において該前後一対の割型装飾面体２１の裏面にそれぞれ内方に向けて傾斜突出して対向配置した傾斜突片２７に対して割型装飾面体２１間に配置したコ字状枠３０を外構部材Ａ外周側からの複数のボルト３２により引張被嵌して該割型装飾面体２１をその中心側に引寄せ係止することによって，上記前後一対の割型装飾面体２１を囲繞開口１１に装着したものとしてあり，このとき本例のスナップイン係止は，これを割型装飾面体２１裏面にそれぞれ対向方向に向けて突設した矢尻状突片２６による非リブ側における弾発的係止によって行なったものとしてある。
【００１８】
即ち本例の鋳物門扉Ａは，例えばＶプロセス法でアルミを一体に鋳造成形し外形枠内に図示省略の直線，曲線等適宜のデザイン模様を配置したアルミ鋳物製のものとしてあり，その面内，本例にあっては吊元側に鋳造時に同時に鋳造成形した囲繞枠１０と該囲繞枠１０によって前後に透孔をなすように区画して配置した縦長矩形の囲繞開口１１とを備えたものとしてあり，本例の囲繞枠１０は，その対向する一方の枠部，特に縦枠部の厚さ方向中間位置にその肉厚の１／３程度の厚さにして囲繞開口１１側に向けて突出するように上記囲繞開口１１内両側のリブ１２，特に縦リブを対向配置してあり，このとき該リブ１２はその突出幅を１ｃｍ程度以下の，例えば０．５ｃｍ程度としてあり，このとき対向する他の枠部，特に横枠部はこのようなリブを配置することなく，その厚さ方向にフラットな面をなすものとしてある。また本例にあって囲繞枠１０の吊元側に位置する縦枠部にはそのリブ１２を含めて貫通するように，その長手方向に複数，本例にあっては２箇所のボルト挿通孔１３を，例えば後加工によって透設したものとしてある。
【００１９】
装飾面体２０は，上記前後一対の割型装飾面体２１に押出成形し，その長さを上記鋳物門扉Ａの囲繞開口１１長さ，本例にあってはその内法高さに合せて切断加工したものとし，例えば中空の装飾面体２０を前後に分割した前後に略対称形状をなす如くに近似した類似断面形状のものとしてあり，本例にあって該割型装飾面体２１は，装飾基部２２，リブ挟持突片２３，矢尻状突片２６，傾斜突片２７を備えたものとしてある。
【００２０】
装飾基部２２は，例えば中空の装飾面体２０として厚み感を呈するように表面を前後方向に湾曲乃至屈曲した幅広の板面によるものとし，リブ挟持突片２３は，前後一対の割側装飾面体２１の間で平行をなすように該装飾基部２２の幅方向両端を幅方向に向けて該装飾基部２２からこれを囲繞開口１１と略同幅とするように幅方向一端と他端の両側に一体に突出した突出フィン状のものとし，矢尻状突片２６は，例えば該リブ挟持突片２３の幅方向中間乃至端部位置から直交するように，前後一対の割型装飾面体２１間で突出位置を僅かにずらして上記囲繞枠１０のリブ１２の厚さと同等の長さとするように突出する一方，その突出方向先端からリブ挟持突片２３側に向けて前後一対の割型装飾面体２１間で逆向きの矢尻をなすように肉厚を厚く傾斜面とし且つその突出方向中央位置にＬ字状の係止面を形成した矢尻形成の突出フィン状のものとしてあり，また傾斜突片２７は，該装飾基部２２乃至その端部一方のリブ挟持突片２３裏面，本例にあっては一方のリブ挟持突片２３の付根部分の裏面から，例えば該リブ挟持突片２３と１４０度乃至１６０度程度（両端のリブ挟持突片２３を結ぶ線に対して２０度乃至４０度程度）の角度，本例では１５０度（同じく３０度）の角度をなすように，該リブ挟持突片２３とは逆の装飾基部２２の背面に向けて傾斜突出した突出フィン状のものとしてあり，このとき該傾斜突片２７はその突出長さを，後述のコ字状枠３０による引寄せ係止に必要且つ充分な程度の長さに可及的に短くし，前後一対の割型装飾面体２１間にボルト３０挿通用の溝を形成し得るようにしてある。
【００２１】
このとき本例にあって上記幅方向他端の各リブ挟持突片２３，即ち傾斜突片２７配置側のリブ挟持突片２３には，更に該リブ挟持突片２３をＬ字状とする直交突片２５を突設してあり，本例の直交突片２５は，該リブ挟持突片２３の幅方向中間位置から上記傾斜突片２７と先端を合せるように同等長さ又はこれより短く直交して突出した同じく短寸の突出フィン状のものとしてある。
【００２２】
コ字状枠３０は，基部をやや厚くしその両側に突出フィンを配置することによってコ字状断面とし割型装飾面体２１と同等長さ又はこれより短尺に形成した同じくアルミ押出形材製のものとしてあり，該コ字状枠３０はその基部の長手方向複数箇所，例えば２箇所にナット孔３１を透設したものとしてある。
【００２３】
鋳物門扉Ａの囲繞開口１１に対する装飾面体２０の装着は，先ず上記コ字状枠３０を囲繞開口１１内一側，本例にあっては鋳物門扉Ａの吊元側にそのコ字状開口を向けるように配置し，囲繞枠１０の吊元側縦枠部の上記各ボルト挿通孔１３に該縦枠部の外側，即ち鋳物門扉Ａの吊元側側面から複数，本例にあっては２本のボルト３２を挿通して，その先端をコ字状枠３０の各ナット孔３１に螺入することによって該複数のボルト３２によってコ字状枠３０を支持し，前後一対の割型装飾面体２１を囲繞開口１１前後に配置し該割型装飾面体２１を前後から押圧することによって逆向きの傾斜面を矢尻状突片２６同士が摺動しその係止面を弾発的に復帰させ該係止面同士を相互に引掛状として該矢尻状突片２６によるスナップイン係止を行い，その後に上記コ字状枠３０を支持した複数のボルト３２を鋳物門扉Ａの吊元側側面から回転させて該コ字状枠３０を鋳物門扉Ａの側面側に向けて引張移動するようにして，該コ字状枠３０が傾斜突片２７の傾斜面を摺動するように該傾斜突片２７間に跨るように該傾斜突片２７を引寄せ係止し，上記スナップイン係止とともに前後に一対の割型装飾面体２１の一体的な固定を行なうようにすればよい。
【００２４】
このとき傾斜突片２７はその長さを規制することによってその先端間に上記ボルト挿通用の溝を形成してあるから，ボルト３２の挿通及び回転を該傾斜突片２７とは無関係に，例えば接触による抵抗を受けたりすることのないようにスムーズになし得るものとしてあり，上記幅方向他端の各リブ挟持突片２３に直交突片２５を突設ことによって，該各リブ挟持突片２３による上記リブ１２の挟持をリブ交差面に対してＬ字状に行なうようにして，上記鋳物門扉Ａの囲繞開口１１に対する前後一対の割型装飾面体２１の一体化を安定して確実になし得るものとすることができる。
【００２５】
またこのとき上記幅方向一端，即ちスナップイン係止側におけるリブ１２挟持を，各リブ挟持突片２３とリブ１２間にクッション材２４を介設して行なったものとしてあり，該クッション材２４は，例えばリブ１２のリブ挟持突片２３との対接面に予め接着等によって配置するか，リブ挟持突片２３のリブ１２との対接面，即ち裏面に同様に予め接着等によって配置することによってこれらの間に介設するようにすればよく，該クッション材２４の介設によって，例えばアルミ押出形材等に僅かながらも許容される寸法誤差によってスナップイン係止に遊びが生じて，上記割型装飾面体２１のリブ挟持突片２３が揺動し，風圧等の外力を受けて鋳物門扉Ａのリブ１２とリブ挟持突片２３との間で金属音を発生する可能性を解消するものとしてある。
【００２６】
このようにアルミ押出形材の装飾面体２０を面内の囲繞開口１１に備えた鋳物門扉Ａは，装飾面体２０装着のためのブラケットやネジ等がその前後面に露出することなく，簡易且つ確実にその装着をなし得るものとすることができ，異なるデザイン要素の鋳物とアルミ押出形材の組合せによるデザインのものとして，そのデザイン多様化に資するものとすることができる。
【００２７】
図示した例は以上のとおりとしたが，本発明の実施に当って，鋳物部材をフェンス，門袖その他の外構用の鋳物部材とすること，装飾面体を装着した囲繞開口を複数設置した鋳物部材とすること，囲繞開口を横長に形成し，また傾斜して形成し，これに装飾面体を装着することによって横長や傾斜の装飾面体による装飾を付するようにすること等を含めて，本発明の実施に当って，鋳物部材，その囲繞開口，装飾面体，その割型装飾面体，スナップイン係止，傾斜突片，コ字状枠，ボルト，必要に応じて用いる矢尻状突片，クッション材，直交突片等の各具体的形状，構造，材質，これらの関係，これらに対する付加等は，上記発明の要旨に反しない限り様々な形態のものとすることができる。
【図面の簡単な説明】
【００２８】
【図１】鋳物門扉の正面図である。
【図２】鋳物門扉の囲繞開口に対する装飾面体を装着する途中の状態を示す横断面図である。
【図３】鋳物門扉に対して装飾面体を装着した状態を示す横断面図である。
【符号の説明】
【００２９】
Ａ  鋳物門扉
１０  囲繞開口
１１  囲繞枠
１２  リブ
２０  装飾面体
２１  割型装飾面体
２３  リブ挟持突片
２４  クッション材
２７  矢尻状突片
３０  コ字状枠
３２  ボルト
【図１】
2006045935.tif 000003
【図２】
2006045935.tif 000004
【図３】
2006045935.tif 000005